(57)【要約】【課題】２つのガラス基板Ｇ１，Ｇ２の貼り合わせマザー基板Ｇのシール剤ＳＬの直上および直下の位置にスクライブラインを形成してブレイクする場合に、ガラス基板の強度が高く保たれる分断方法および装置を提供する。【解決手段】マザー基板Ｇにスクライブラインを形成する際にガラス基板Ｇ１の表面のシール材ＳＬに対向する位置にスクライビングホイール３０１を押し当てながら移動させ、これに並行して、ガラス基板Ｇ２の表面のスクライビングホイール３０１から距離Ｗ１だけ変位した位置にスクライビングホイール４０１を押し当てながら移動させた後、クラックの浸透量が小さいガラス基板をブレイクする動作を行う。【選択図】図５
2018087131.tif 000002
【特許請求の範囲】
【請求項１】
第１基板と第２基板をシール材により貼り合わせてなる貼り合わせマザー基板にスクライブラインを形成した後にブレイクする貼り合わせマザー基板の分断方法であって、
前記第１基板の表面及び前記第２基板の表面の前記シール材に対向する位置にスクライブラインを形成させた後に、前記第１基板と前記第２基板のうち、クラック浸透量が小さい基板をブレイクする動作を行うことによって前記第１基板及び前記第２基板を同時に分断する、
ことを特徴とする貼り合わせマザー基板の分断方法。
【請求項２】
第１基板と第２基板をシール材により貼り合わせてなる貼り合わせマザー基板にスクライブラインを形成した後にブレイクする分断方法であって、
前記第１基板の表面の前記シール材に対向する位置に第１の刃を押し当てながら前記第１の刃を前記シール材に沿って移動させて、前記第１基板の表面にスクライブラインを形成し、
前記第１の刃の移動に並行して、前記第２基板の表面の前記第１の刃から前記シール材に沿う方向に所定距離だけ変位した位置に第２の刃を押し当てながら前記第２の刃を前記シール材に沿って移動させて、前記第２基板の表面にスクライブラインを形成させた後に、前記第１基板と前記第２基板のうちのクラックの浸透量が小さい基板をブレイクする動作を行うことによって前記第１基板及び前記第２基板を同時に分断する、
ことを特徴とする貼り合わせマザー基板の分断方法。
【請求項３】
前記第１基板と前記第２基板のうちのクラック浸透量が大きい基板のクラックの浸透量が基板の厚みの８０％を超える請求項１または２に記載の貼り合わせマザー基板の分断方法。
【請求項４】
第１基板と第２基板をシール材により貼り合わせてなる貼り合わせマザー基板にスクライブラインを形成した後にブレイクする分断方法であって、
前記第１基板の表面の前記シール材に対向する位置に第１の刃を押し当てながら前記第１の刃を前記シール材に沿って移動させて、前記第１基板の表面にスクライブラインを形成し、
前記第１の刃の移動に並行して、前記第２基板の表面の前記第１の刃から前記シール材に沿う方向に所定距離だけ前記第１の刃の移動方向に対して後方に変位した位置に第２の刃を押し当てながら前記第２の刃を前記シール材に沿って移動させて、前記第２基板の表面にスクライブラインを形成させた後に、前記第２基板をブレイクする動作を行うことによって前記第１基板及び前記第２基板を同時に分断する、
ことを特徴とする貼り合わせマザー基板の分断方法。
【請求項５】
前記第１基板のクラックの浸透量が基板の厚みの８０％を超える請求項４に記載の貼り合わせマザー基板の分断方法。
【請求項６】
第１基板と第２基板をシール材により貼り合わせてなる貼り合わせマザー基板にスクライブラインを形成するスクライブ装置とスクライブラインを形成した貼り合わせマザー基板をブレイクするブレイク装置と、を備えた分断装置であって、
前記スクライブ装置は、
前記第１基板の表面にスクライブラインを形成する第１スクライブヘッドと、
前記第２基板の表面にスクライブラインを形成する第２スクライブヘッドと、
前記第１スクライブヘッドと前記第２スクライブヘッドを前記マザー基板に平行に移動させる駆動部と、を備え、
前記第１スクライブヘッドは、前記第１基板の表面の前記シール材に対向する位置に第１の刃を押し当てた状態で、前記第１の刃が前記シール材に沿って移動するように駆動され、
前記第２スクライブヘッドは、前記第１スクライブヘッドの駆動に並行して、前記第２基板の表面の前記第１の刃から前記シール材に沿う方向に所定距離だけ前記第１の刃の移動方向の後方に変位した位置に第２の刃を押し当てた状態で、前記第２の刃が前記シール材に沿って移動するように駆動され、
前記ブレイク装置は、第１基板と第２基板のうちのクラックの浸透量が小さい基板をブレイクする動作を行うことによって前記第１基板及び前記第２基板を同時にブレイクすることを特徴とする分断装置。
【請求項７】
前記第１基板と前記第２基板のうちのクラック浸透量が大きい基板のクラックの浸透量が基板の厚みの８０％を超える請求項６に記載の貼り合わせマザー基板の分断装置。
【請求項８】
第１基板と第２基板をシール材により貼り合わせてなる貼り合わせマザー基板にスクライブラインを形成するスクライブ装置とスクライブラインを形成した貼り合わせマザー基板をブレイクするブレイク装置と、を備えた分断装置であって、
前記スクライブ装置は、
前記第１基板の表面にスクライブラインを形成する第１スクライブヘッドと、
前記第２基板の表面にスクライブラインを形成する第２スクライブヘッドと、
前記第１スクライブヘッドと前記第２スクライブヘッドを前記マザー基板に平行に移動させる駆動部と、を備え、
前記第１スクライブヘッドは、前記第１基板の表面の前記シール材に対向する位置に第１の刃を押し当てた状態で、前記第１の刃が前記シール材に沿って移動するように駆動され、
前記第２スクライブヘッドは、前記第１スクライブヘッドの駆動に並行して、前記第２基板の表面の前記第１の刃から前記シール材に沿う方向に所定距離だけ前記第１の刃の移動方向に対して後方に変位した位置に第２の刃を押し当てた状態で、前記第２の刃が前記シール材に沿って移動するように駆動され、
前記ブレイク装置は、前記第２基板をブレイクする動作を行うことによって前記第１基板及び前記第２基板を同時にブレイクすることを特徴とする分断装置。
【請求項９】
前記第１基板のクラックの浸透量が基板の厚みの８０％を超える請求項８に記載の貼り合わせマザー基板の分断装置。
【発明の詳細な説明】
【技術分野】
【０００１】
本発明は、基板にスクライブラインを形成した後にブレイクするための分断方法および分断装置に関する。
【背景技術】
【０００２】
従来、ガラス基板等の脆性材料基板の分断は、基板表面にスクライブラインを形成するスクライブ工程と、形成されたスクライブラインに沿って基板表面に所定の力を付加するブレイク工程とによって行われる。スクライブ工程では、スクライビングホイールの刃先が、基板表面に押し付けられながら、所定のラインに沿って移動される。スクライブラインの形成には、スクライブヘッドを備えたスクライブ装置が用いられる。
【０００３】
以下の特許文献１には、マザー基板から液晶パネルを切り出すための方法が記載されている。この方法では、薄膜トランジスタ（ＴＦＴ）が形成された基板と、カラーフィルタ（ＣＦ）が形成された基板とをシール材を介して貼り合わせることによって、マザー基板が形成される。このマザー基板が分断されることにより個々の液晶パネルが取得される。シール材は、２つの基板が貼り合わされた状態で液晶注入領域となる空間が残るように配置される。
【０００４】
上記構成のマザー基板を分断する場合には、２つのスクライブヘッドを用いて、マザー基板の両面に、同時にスクライブラインを形成する方法が用いられ得る（たとえば、特許文献２参照）。この場合、２つのスクライブヘッドがマザー基板を挟むように配置される。２つのスクライビングホイールは、マザー基板を平面視したときに同じ位置に位置付けられる。この状態で、２つのスクライビングホイールが同じ方向に同時に移動されて、マザー基板の各面にスクライブラインが形成される。
【先行技術文献】
【特許文献】
【０００５】
【特許文献１】特開２００６−１３７６４１号公報
【特許文献２】特開２０１２−２４０９０２号公報
【発明の概要】
【発明が解決しようとする課題】
【０００６】
上記特許文献１にも示されるように、従前のマザー基板には、隣り合う液晶注入領域の間に、シール材が介在しない領域が存在していた。したがって、上記のように２つのスクライブヘッドによってマザー基板の両面に同時にスクライブラインを形成する場合には、シール材が介在しない領域に、スクライブラインを形成することができた。このようにスクライブラインを形成してマザー基板を分断すると、液晶パネルには、液晶注入領域の周りに所定幅の額縁領域が残ることとなる。
【０００７】
しかしながら、近年、特にモバイル用の液晶パネルにおいて、上記額縁領域を極限まで狭くすることが主流になりつつある。この要求に応えるためには、マザー基板においてシール材が介在しない領域が省略され、隣り合う液晶注入領域は、シール材のみによって区切られるよう構成される必要がある。この場合、スクライブラインは、シール材の直上および直下に形成されることになる。
【０００８】
ところが、このようにシール材の直上および直下の位置にスクライブラインを形成すると、２つのガラス基板にクラックが十分に入らないといった問題が本願発明者らによって確認された。このようにクラックが不十分な状態でブレイク工程が実行されると、ブレイク後の基板の端縁に細かい亀裂や破損が生じて、ガラス基板の強度が低下する恐れがある。
【０００９】
かかる課題に鑑み、本発明は、シール材の直上および直下の位置にスクライブラインを形成する場合に、十分な深さのクラックを基板に形成することが可能なスクライブ方法およびスクライブ装置を提供することを目的とする。
【課題を解決するための手段】
【００１０】
本願発明者らは、試行錯誤の上、シール材の直上および直下の位置にスクライブラインを形成する場合に、マザー基板の上面および下面の各スクライブ位置をスクライブ方向に所定距離だけずらすことにより、各基板により深いクラックが入ることを発見した。
【００１１】
本発明の第１の態様は、第１基板と第２基板をシール材により貼り合わせてなるマザー基板にスクライブラインを形成するスクライブ方法に関する。本態様に係るスクライブ方法は、前記第１基板の表面の前記シール材に対向する位置に第１の刃を押し当てながら前記第１の刃を前記シール材に沿って移動させて、前記第１基板の表面にスクライブラインを形成する。また、前記第１の刃の移動に並行して、前記第２基板の表面の前記第１の刃から前記シール材に沿う方向に所定距離だけ変位した位置に第２の刃を押し当てながら前記第２の刃を前記シール材に沿って移動させて、前記第２基板の表面にスクライブラインを形成する。
【００１２】
本態様に係るスクライブ方法によれば、シール材の直上および直下の位置にスクライブラインを形成する場合に、十分な深さのクラックをマザー基板に形成することができる。
【００１３】
本態様に係るスクライブ方法において、前記所定距離は、０．５ｍｍ以上に設定されることが望ましい。こうすると、クラックの深さを効果的に深くすることができる。
【００１４】
また、本態様に係るスクライブ方法は、前記第１基板の表面の前記第２の刃に対応する位置に第１のローラを押し当てながら前記第１のローラを前記シール材に沿って移動させ、前記第２基板の表面の前記第１の刃に対応する位置に第２のローラを押し当てながら前記第２のローラを前記シール材に沿って移動させるように構成することが望ましい。こうすると、クラックの深さを深くしつつ、クラックの形成状況を安定化させることができる。
【００１５】
本発明の第２の態様は、第１基板と第２基板をシール材により貼り合わせてなるマザー基板にスクライブラインを形成するスクライブ装置に関する。本態様に係るスクライブ装置は、前記第１基板の表面にスクライブラインを形成する第１スクライブヘッドと、前記第２基板の表面にスクライブラインを形成する第２スクライブヘッドと、前記第１スクライブヘッドと前記第２スクライブヘッドを前記マザー基板に平行に移動させる駆動部と、を備える。前記第１スクライブヘッドは、前記第１基板の表面の前記シール材に対向する位置に第１の刃を押し当てた状態で、前記第１の刃が前記シール材に沿って移動するように駆動され、前記第２スクライブヘッドは、前記第１スクライブヘッドの駆動に並行して、前記第２基板の表面の前記第１の刃から前記シール材に沿う方向に所定距離だけ変位した位置に第２の刃を押し当てた状態で、前記第２の刃が前記シール材に沿って移動するように駆動される。
【００１６】
本態様に係るスクライブ装置によれば、上記第１の態様に係るスクライブ方法と同様、シール材の直上および直下の位置にスクライブラインを形成する場合に、十分な深さのクラックをマザー基板に形成することができる。
【００１７】
本態様に係るスクライブ装置において、前記所定距離は、０．５ｍｍ以上に設定されることが望ましい。こうすると、クラックの深さを効果的に深くすることができる。
【００１８】
また、本態様に係るスクライブ装置において、前記第１スクライブヘッドは、前記第１基板の表面の前記第２の刃に対応する位置に第１のローラを押し当てながら前記第１のローラを前記シール材に沿って移動させ、前記第２スクライブヘッドは、前記第２基板の表面の前記第１の刃に対応する位置に第２のローラを押し当てながら前記第２のローラを前記シール材に沿って移動させるよう構成され得る。こうすると、クラックの深さをさらに深くすることができる。
【００１９】
また、本態様に係るスクライブ装置において、前記第１スクライブヘッドは、前記第１の刃と前記第１ローラの両方を保持する第１スクライビングツールを備え、前記第２スクライブヘッドは、前記第２の刃と前記第２ローラの両方を保持する第２スクライビングツールを備えるよう構成され得る。こうすると、スクライビングツールを装着するだけで、刃とローラを所望の間隔で位置付けることができる。
【００２０】
また、本態様に係るスクライブ装置において、前記第１の刃と前記第２の刃は、それぞれ、円板の外周にＶ字状の刃先が形成されるとともに前記刃先の稜線に所定の間隔で溝を有するスクライビングホイールから構成され得る。以下に示す実施の形態では、この種の刃によって実験が行われ、クラックが深く入ることが確認されている。
従って、本発明の分断方法の第１の態様は、第１基板と第２基板をシール材により貼り合わせてなる貼り合わせマザー基板にスクライブラインを形成した後にブレイクする貼り合わせマザー基板の分断方法であって、前記第１基板の表面及び前記第２基板の表面の前記シール材に対向する位置にスクライブラインを形成させた後に、前記第１基板と前記第２基板のうち、クラック浸透量が小さい基板をブレイクする動作を行うことによって前記第１基板及び前記第２基板を同時に分断する、ことを特徴とする。
本発明の分断方法の第２の態様は、第１基板と第２基板をシール材により貼り合わせてなる貼り合わせマザー基板にスクライブラインを形成した後にブレイクする分断方法であって、前記第１基板の表面の前記シール材に対向する位置に第１の刃を押し当てながら前記第１の刃を前記シール材に沿って移動させて、前記第１基板の表面にスクライブラインを形成し、前記第１の刃の移動に並行して、前記第２基板の表面の前記第１の刃から前記シール材に沿う方向に所定距離だけ変位した位置に第２の刃を押し当てながら前記第２の刃を前記シール材に沿って移動させて、前記第２基板の表面にスクライブラインを形成させた後に、前記第１基板と前記第２基板のうちのクラックの浸透量が小さい基板をブレイクする動作を行うことによって前記第１基板及び前記第２基板を同時に分断する、ことを特徴とする。
本発明の分断方法の第１及び第２の態様においては、前記第１基板と前記第２基板のうちのクラック浸透量が大きい基板のクラックの浸透量が基板の厚みの８０％を超えることが好ましい。
本発明の分断方法の第３の態様は、第１基板と第２基板をシール材により貼り合わせてなる貼り合わせマザー基板にスクライブラインを形成した後にブレイクする分断方法であって、前記第１基板の表面の前記シール材に対向する位置に第１の刃を押し当てながら前記第１の刃を前記シール材に沿って移動させて、前記第１基板の表面にスクライブラインを形成し、前記第１の刃の移動に並行して、前記第２基板の表面の前記第１の刃から前記シール材に沿う方向に所定距離だけ前記第１の刃の移動方向に対して後方に変位した位置に第２の刃を押し当てながら前記第２の刃を前記シール材に沿って移動させて、前記第２基板の表面にスクライブラインを形成させた後に、前記第２基板をブレイクする動作を行うことによって前記第１基板及び前記第２基板を同時に分断する、ことを特徴とする。
本発明の分断方法の第３の態様においては、前記第１基板のクラックの浸透量が基板の厚みの８０％を超えることが好ましい。
本発明の分断装置の第１の態様は、第１基板と第２基板をシール材により貼り合わせてなる貼り合わせマザー基板にスクライブラインを形成するスクライブ装置とスクライブラインを形成した貼り合わせマザー基板をブレイクするブレイク装置と、を備えた分断装置であって、前記スクライブ装置は、前記第１基板の表面にスクライブラインを形成する第１スクライブヘッドと、前記第２基板の表面にスクライブラインを形成する第２スクライブヘッドと、前記第１スクライブヘッドと前記第２スクライブヘッドを前記マザー基板に平行に移動させる駆動部と、を備え、前記第１スクライブヘッドは、前記第１基板の表面の前記シール材に対向する位置に第１の刃を押し当てた状態で、前記第１の刃が前記シール材に沿って移動するように駆動され、前記第２スクライブヘッドは、前記第１スクライブヘッドの駆動に並行して、前記第２基板の表面の前記第１の刃から前記シール材に沿う方向に所定距離だけ前記第１の刃の移動方向の後方に変位した位置に第２の刃を押し当てた状態で、前記第２の刃が前記シール材に沿って移動するように駆動され、前記ブレイク装置は、第１基板と第２基板のうちのクラックの浸透量が小さい基板をブレイクする動作を行うことによって前記第１基板及び前記第２基板を同時にブレイクすることを特徴とする。
本発明の分断装置の第１の態様においては、前記第１基板と前記第２基板のうちのクラック浸透量が大きい基板のクラックの浸透量が基板の厚みの８０％を超えることが好ましい。
本発明の分断装置の第２の態様は、第１基板と第２基板をシール材により貼り合わせてなる貼り合わせマザー基板にスクライブラインを形成するスクライブ装置とスクライブラインを形成した貼り合わせマザー基板をブレイクするブレイク装置と、を備えた分断装置であって、前記スクライブ装置は、前記第１基板の表面にスクライブラインを形成する第１スクライブヘッドと、前記第２基板の表面にスクライブラインを形成する第２スクライブヘッドと、前記第１スクライブヘッドと前記第２スクライブヘッドを前記マザー基板に平行に移動させる駆動部と、を備え、前記第１スクライブヘッドは、前記第１基板の表面の前記シール材に対向する位置に第１の刃を押し当てた状態で、前記第１の刃が前記シール材に沿って移動するように駆動され、前記第２スクライブヘッドは、前記第１スクライブヘッドの駆動に並行して、前記第２基板の表面の前記第１の刃から前記シール材に沿う方向に所定距離だけ前記第１の刃の移動方向に対して後方に変位した位置に第２の刃を押し当てた状態で、前記第２の刃が前記シール材に沿って移動するように駆動され、前記ブレイク装置は、前記第２基板をブレイクする動作を行うことによって前記第１基板及び前記第２基板を同時にブレイクすることを特徴とする。
本発明の分断装置の第２の態様においては、前記第１基板のクラックの浸透量が基板の厚みの８０％を超えることが好ましい。
【発明の効果】
【００２１】
以上のとおり、本発明によれば、シール材の直上および直下の位置にスクライブラインを形成する場合に、十分な深さのクラックを基板に形成することが可能なスクライブ方法およびスクライブ装置を提供することができる。
【００２２】
本発明の効果ないし意義は、以下に示す実施の形態の説明により更に明らかとなろう。ただし、以下に示す実施の形態は、あくまでも、本発明を実施化する際の一つの例示であって、本発明は、以下の実施の形態に記載されたものに何ら制限されるものではない。
【図面の簡単な説明】
【００２３】
【図１】実施の形態に係るスクライブ装置の構成を模式的に示す図である。
【図２】実施の形態に係るスクライブヘッドの構成を示す分解斜視図である。
【図３】実施の形態に係るスクライブヘッドの構成を示す斜視図である。
【図４】実施の形態に係るスクライブ方法を説明する図である。
【図５】実施の形態に係るスクライブ方法による実験結果を示す図である。
【図６】実施の形態に係る他のスクライブ方法を説明する図である。
【図７】実施の形態に係る他のスクライブ方法による実験結果を示す図である。
【図８】実施の形態に係るスクライブビングツールの構成を示す斜視図である。
【図９】実施の形態に係るスクライブビングツールの装着方法を模式的に示す図である。
【図１０】変更例に係るスクライブビングツールの構成を示す斜視図である。
【図１１】変更例に係るスクライブビングツールの構成を模式的に示す図である。
【発明を実施するための形態】
【００２４】
以下、本発明の実施の形態について、図面を参照して説明する。なお、各図には、便宜上、互いに直交するＸ軸、Ｙ軸およびＺ軸が付記されている。Ｘ−Ｙ平面は水平面に平行で、Ｚ軸方向は鉛直方向である。
【００２５】
＜スクライブ装置＞
図１（ａ）、（ｂ）は、スクライブ装置１の構成を模式的に示す図である。図１（ａ）は、Ｙ軸正側からスクライブ装置１を見た図、図１（ｂ）は、Ｘ軸正側からスクライブ装置１を見た図である。
【００２６】
図１（ａ）を参照して、スクライブ装置１は、コンベア１１と、支柱１２ａ、１２ｂと、ガイド１３ａ、１３ｂと、ガイド１４ａ、１４ｂと、摺動ユニット１５、１６と、２つのスクライブヘッド２を備える。
【００２７】
図１（ｂ）に示すように、コンベア１１は、スクライブヘッド２が配置される箇所を除いて、Ｙ軸方向に延びるように設けられている。コンベア１１上には、マザー基板Ｇが載置される。マザー基板Ｇは、一対のガラス基板が相互に貼り合わされた基板構造を有する。マザー基板Ｇは、コンベア１１によりＹ軸方向に送られる。
【００２８】
支柱１２ａ、１２ｂは、スクライブ装置１のベースにコンベア１１を挟んで垂直に設けられている。ガイド１３ａ、１３ｂおよびガイド１４ａ、１４ｂは、それぞれ、Ｘ軸方向に平行となるように、支柱１２ａ、１２ｂの間に架設されている。摺動ユニット１５、１６は、それぞれ、ガイド１３ａ、１３ｂ、ガイド１４ａ、１４ｂに摺動自在に設けられている。ガイド１３ａ、１３ｂおよびガイド１４ａ、１４には、それぞれ、所定の駆動機構が設けられており、この駆動機構により、摺動ユニット１５、１６がＸ軸方向に移動される。
【００２９】
摺動ユニット１５、１６には、それぞれ、スクライブヘッド２が装着されている。Ｚ軸正側のスクライブヘッド２とＺ軸負側のスクライブヘッド２には、それぞれ、マザー基板Ｇに対向するようにスクライビングツール３０、４０が取り付けられている。スクライビングツール３０、４０に保持されたスクライビングホイールがマザー基板Ｇの表面に押し付けられた状態でスクライブヘッド２がＸ軸方向に移動する。これにより、マザー基板Ｇの表面にスクライブラインが形成される。
【００３０】
＜スクライブヘッド＞
図２は、スクライブヘッド２の構成を示す一部分解斜視図、図３は、スクライブヘッド２の構成を示す斜視図である。
【００３１】
図２を参照して、スクライブヘッド２は、昇降機構２１と、スクライブライン形成機構２２と、ベースプレート２３と、トッププレート２４と、ボトムプレート２５と、ゴム枠２６と、カバー２７と、サーボモータ２８とを備える。
【００３２】
昇降機構２１は、サーボモータ２８の駆動軸に連結された円筒カム２１ａと、昇降部２１ｂの上面に形成されたカムフォロア２１ｃとを備える。昇降部２１ｂは、スライダー（図示せず）を介してベースプレート２３に上下方向に移動可能に支持され、バネ２１ｄによってＺ軸正方向に付勢されている。バネ２１ｄの付勢により、カムフォロア２１ｃは円筒カム２１ａの下面に押し付けられている。昇降部２１ｂはスクライブライン形成機構２２に連結されている。サーボモータ２８により円筒カム２１ａが回動すると、円筒カム２１ａのカム作用によって昇降部２１ｂが昇降し、これに伴い、スクライブライン形成機構２２が昇降する。スクライブライン形成機構２２の下端に、スクライビングツール３０、４０が装着される。
【００３３】
ゴム枠２６は、空気を通さない弾性部材である。ゴム枠２６は、ベースプレート２３の溝２３ａ、トッププレート２４の溝２４ａおよびボトムプレート２５の溝２５ａに嵌まり込む形状を有している。ゴム枠２６が溝２３ａ、２４ａ、２５ａに装着された状態で、ゴム枠２６の表面は、ベースプレート２３、トッププレート２４およびボトムプレート２５の側面よりも僅かに外側に突出する。
【００３４】
カバー２７は、前面部２７ａ、右側面部２７ｂおよび左側面部２７ｃの３つの板部が折り曲げられた形状を有する。前面部２７ａの上下の端縁には、２つの孔２７ｆが形成されている。
【００３５】
ゴム枠２６が溝２３ａ、２４ａ、２５ａに嵌め込まれた状態で、カバー２７の右側面部２７ｂと左側面部２７ｃが外側に撓むように変形されて、カバー２７がベースプレート２３、トッププレート２４およびボトムプレート２５に取り付けられる。この状態で、前面部２７ａの上下の端縁に形成された２つの孔２７ｆを介して、ネジがトッププレート２４およびボトムプレート２５に螺着される。さらに、ベースプレート２３、トッププレート２４およびボトムプレート２５の溝２３ａ、２４ａ、２５ａのやや外側に形成されたネジ穴に、ネジが螺着される。これにより、カバー２７が、ベースプレート２３、トッププレート２４およびボトムプレート２５とネジの頭部とによって挟み込まれ、右側面部２７ｂおよび左側面部２７ｃの周縁部がゴム枠２６に押し付けられる。こうして、図３に示すようにスクライブヘッド２が組み立てられる。
【００３６】
図１（ａ）に示すように、２つのスクライブヘッド２がマザー基板Ｇの上下にそれぞれ配される。２つのスクライブヘッド２は同じ構成となっている。２つのスクライブヘッド２に装着されるスクライビングツール３０、４０は、スクライブ方法に応じて変更される。以下に示す２つのスクライブ方法のうち、スクライブ方法１では、スクライビングホイール３０１、４０１のみを保持するスクライビングツール３０、４０が用いられる。また、スクライブ方法２では、スクライビングホイール３０１、４０１とローラ３０２、４０２を保持するスクライビングツール３０、４０が用いられる。
【００３７】
以下、これら２つのスクライブ方法について説明する。
【００３８】
＜スクライブ方法１＞
図４（ａ）〜（ｃ）は、本実施の形態に係るスクライブ方法を説明する図である。図４（ａ）はＹ軸負側からスクライブ位置付近を見たときの模式図、図４（ｂ）はＸ軸正側からスクライブ位置付近を見たときの模式図、図４（ｃ）はＺ軸正側からスクライブ位置付近を見たときの模式図である。
【００３９】
図４（ａ）に示すように、本スクライブ方法では、上側（Ｚ軸正側）のスクライブヘッド２のスクライビングホイール３０１が、下側（Ｚ軸負側）のスクライブヘッド２のスクライビングホイール４０１よりも、スクライブ方向（Ｘ軸正方向）に距離Ｗ１だけ先行するようにして、２つのスクライビングホイール３０１、４０１が移動される。２つのスクライビングホイール３０１、４０１は、それぞれ、軸３０１ａ、４０１ａを回転軸として回転可能にスクライビングツール３０、４０が取り付けられている。
【００４０】
図４（ｂ）を参照して、マザー基板Ｇは、シール材ＳＬを介して２つのガラス基板Ｇ１、Ｇ２を貼り合わせて構成されている。ガラス基板Ｇ１にはカラーフィルタ（ＣＦ）が形成され、ガラス基板Ｇ２には薄膜トランジスタ（ＴＦＴ）が形成されている。シール材ＳＬと２つのガラス基板Ｇ１、Ｇ２によって、液晶注入領域Ｒが形成され、この液晶注入領域Ｒに液晶が注入される。２つのスクライビングホイール３０１、４０１は、Ｙ軸方向に互いにずれることなく位置付けられる。スクライビングホイール３０１は、シール材ＳＬの直上の位置においてガラス基板Ｇ１の表面に押し付けられ、スクライビングホイール４０１は、シール材ＳＬの直下の位置においてガラス基板Ｇ２の表面に押し付けられる。
【００４１】
図４（ｃ）に示すように、シール材ＳＬは格子状に配置されている。２つのスクライビングホイール３０１、４０１は、シール材ＳＬに沿ってＸ軸正方向に移動される。これにより、図４（ｂ）、（ｃ）に示すように、ガラス基板Ｇ１、Ｇ２の表面に、それぞれ、スクライブラインＬ１、Ｌ２が形成される。
【００４２】
図４（ａ）〜（ｃ）に示すスクライブ方法では、スクライビングホイール３０１と反対側（Ｚ軸負側）のマザー基板Ｇの表面を押さえるローラは設けられておらず、また、スクライビングホイール４０１と反対側（Ｚ軸正側）のマザー基板Ｇの表面を押さえるローラも設けられていない。
【００４３】
＜実験１＞
本願発明者らは、図４（ａ）〜（ｃ）に示すスクライブ方法に従ってマザー基板Ｇにスクライブラインを形成する実験を行った。以下、この実験と実験結果について説明する。
【００４４】
実験では、厚みがそれぞれ０．２ｍｍのガラス基板Ｇ１、Ｇ２をシール材ＳＬを介して貼り合わせた基板（マザー基板）を用いた。貼り合わせ基板（マザー基板）のサイズは１１８ｍｍ×５００ｍｍである。スクライビングホイール３０１、４０１は、三星ダイヤモンド工業株式会社製、マイクロぺネット（三星ダイヤモンド工業株式会社の登録商標）を用いた。スクライビングホイール３０１、４０１は、それぞれ、円板の外周にＶ字状の刃先が形成されるとともに刃先の稜線に所定の間隔で溝を有する構造となっている。スクライビングホイール３０１、４０１は、直径３ｍｍ、刃先角度１１０°、溝個数５５０、溝深さ３μｍである。
【００４５】
この構成のスクライビングホイール３０１、４０１を、それぞれ、図４（ａ）〜（ｃ）に示すようにガラス基板Ｇ１、Ｇ２に押し付けつつ移動させてスクライブ動作を行った。スクライブ動作時にスクライビングホイール３０１、４０１に付与される荷重は６．５Ｎに制御した。また、スクライビングホイール３０１、４０１の移動速度は、一定（２００ｍｍ／ｓｅｃ）とした。
【００４６】
以上の条件のもと、２つのスクライビングホイール３０１、４０１間の距離Ｗ１を変化させながら、ガラス基板Ｇ１、Ｇ２におけるクラックの浸透量を計測した。比較例として、スクライビングホイール３０１、４０１間の距離Ｗ１が０の場合のクラックの浸透量も計測した。各測定では、クラックの浸透量の他、リブマーク量も併せて計測した。
【００４７】
図５（ａ）〜（ｅ）に実験結果を示す。図５（ａ）は、クラックの浸透量とリブマーク量を数値で示す図、図５（ｂ）〜（ｅ）は、スクライブライン上におけるマザー基板Ｇの断面写真であり、それぞれ、距離Ｗ１が０．４ｍｍ、０．６ｍｍ、０．８ｍｍ、１．０ｍｍの場合のものである。図５（ｂ）〜（ｅ）において、Ｄ１、Ｄ３はリブマーク量、Ｄ２、Ｄ４はクラックの浸透量を示している。
【００４８】
図５（ａ）を参照すると、距離Ｗ１が０．６ｍｍを超えると、距離Ｗ１が０ｍｍの場合に比べて、ガラス基板Ｇ１のクラックの浸透量が大きくなっている。ガラス基板Ｇ１、Ｇ２のうち何れか一方に大きな浸透量でクラックが入ると、ブレイク工程において、マザー基板Ｇを適正に分断することができる。
【００４９】
たとえば、比較例（Ｗ１＝０ｍｍ）のように、ガラス基板Ｇ１、Ｇ２におけるクラック量が共にガラス基板Ｇ１、Ｇ２の厚み（０．２ｍｍ）の半分程度であると、ブレイク工程において、マザー基板Ｇの両側からガラス基板Ｇ１、Ｇ２をそれぞれブレイクする必要がある。このようにマザー基板Ｇの両側からガラス基板Ｇ１、Ｇ２をそれぞれブレイクする動作が行われると、ガラス基板Ｇ１、Ｇ２の端縁に細かい亀裂や破損が生じて、ガラス基板Ｇ１、Ｇ２の強度が低下する惧れがある。
【００５０】
これに対し、距離Ｗ１が０．６ｍｍ〜１．４ｍｍである場合には、ガラス基板Ｇ２におけるクラックの浸透量は小さいものの、ガラス基板Ｇ１におけるクラックの浸透量が大きい。このようにガラス基板Ｇ１におけるクラックの浸透量が大きい場合、ブレイク工程では、クラックの浸透量が小さいガラス基板Ｇ２をマザー基板Ｇの一方側のみからブレイクする動作が行われればよく、このブレイク動作の際に、深くクラックが入ったガラス基板Ｇ１も同時にクラックに沿って分断される。このようにマザー基板Ｇの一方側のみからガラス基板Ｇ１、Ｇ２をブレイクすると、ガラス基板Ｇ１、Ｇ２の端縁に細かい亀裂や破損が生じることがなく、ガラス基板Ｇ１、Ｇ２の強度が高く保たれる。
【００５１】
以上の理由から、マザー基板Ｇの分断においては、ガラス基板Ｇ１、Ｇ２の何れか一方に大きな浸透量でクラックが入っていることが望ましい。本実験では、図５（ａ）に示すように、２つのスクライビングホイール３０１、４０１間の距離Ｗ１が０．６ｍｍを超えると、比較例（Ｗ１＝０ｍｍ）に比べて、ガラス基板Ｇ１のクラックの浸透量が大きくなっている。このことから、２つのスクライビングホイール３０１、４０１間の距離Ｗ１は、０．６ｍｍ以上であることが望ましいと言える。このように２つのスクライビングホイール３０１、４０１間の距離Ｗ１を設定することにより、マザー基板Ｇのブレイクを適正に行うことができる。
【００５２】
＜スクライブ方法２＞
図４（ａ）〜（ｃ）に示すスクライブ方法（スクライブ方法１）では、スクライビングホイール３０１と反対側（Ｚ軸負側）のマザー基板Ｇの表面がローラで押さえられておらず、また、スクライビングホイール４０１と反対側（Ｚ軸正側）のマザー基板Ｇの表面もローラで押さえられていない。これに対し、本スクライブ方法では、スクライビングホイール３０１と反対側（Ｚ軸負側）のマザー基板Ｇの表面と、スクライビングホイール４０１と反対側（Ｚ軸正側）のマザー基板Ｇの表面が、それぞれ、ローラによって押さえられている。
【００５３】
図６（ａ）、（ｂ）は、スクライブ方法２を説明する図である。図６（ａ）はＹ軸負側からスクライブ位置付近を見たときの模式図、図６（ｂ）はＸ軸正側からスクライブ位置付近を見たときの模式図である。
【００５４】
図６（ａ）に示すように、本スクライブ方法では、スクライビングホイール３０１と反対側（Ｚ軸負側）のマザー基板Ｇの表面が２つのローラ４０２で押さえられ、また、スクライビングホイール４０１と反対側（Ｚ軸正側）のマザー基板Ｇの表面も２つのローラ３０２で押さえられている。２つのローラ３０２は、スクライブングホイール３０１を挟むように配置され、軸３０２ａを回転軸として回転可能となっている。また、２つのローラ４０２は、スクライブングホイール４０１を挟むように配置され、軸４０２ａを回転軸として回転可能となっている。
【００５５】
スクライブ方法１と同様、２つのスクライビングホイール３０１、４０１は、スクライブ方向（Ｘ軸方向）に距離Ｗ１だけずれている。２つのスクライビングホイール３０１、４０１は、それぞれ、ガラス基板Ｇ１、Ｇ２に押し付けられながら、シール材ＳＬに沿って移動する。スクライビングホイール３０１と２つのローラ３０２との間にはＹ軸方向の隙間があり、スクライビングホイール４０１と２つのローラ４０２との間にもＹ軸方向の隙間がある。このため、ローラ３０２、４０２は、スクライビングホイール３０１、４０１によって形成されるスクライブラインＬ１、Ｌ２を跨ぐようにしてＸ軸正方向に移動する。
【００５６】
＜実験２＞
本願発明者らは、図６（ａ）、（ｂ）に示すスクライブ方法に従ってマザー基板Ｇにスクライブラインを形成する実験を行った。以下、この実験と実験結果について説明する。
【００５７】
本実験で用いたマザー基板Ｇとスクライビングホイール３０１、４０１は、上記実験１と同じとした。本実験では、スクライビングホイール３０１、４０１間の距離Ｗ１が２．２ｍｍに設定された。また、スクライビングホイール３０１、４０１の移動速度は、一定（２００ｍｍ／ｓｅｃ）とした。上側のスクライブヘッド２の荷重中心に対するスクライビングホイール３０１の偏心量は１．０ｍｍであり、下側のスクライブヘッド２の荷重中心に対するスクライビングホイール４０１の偏心量は３．２ｍｍであった。
【００５８】
スクライビングホイール３０１、４０１の軸３０１ａ、４０１ａの中心位置は、それぞれ、ローラ３０２、４０２の軸３０２ａ、４０２ａの中心位置と、Ｚ軸方向において一致し、ローラ３０２、４０２の直径は、それぞれ、スクライビングホイール３０１、４０１の直径と同じく３ｍｍに設定した。
【００５９】
以上の条件のもと、スクライビングツール３０、４０に付与される荷重を変化させながら、ガラス基板Ｇ１、Ｇ２におけるクラックの浸透量を計測した。
【００６０】
図７（ａ）〜（ｅ）に実験結果を示す。図７（ａ）は、クラックの浸透量とリブマーク量を数値で示す図、図７（ｂ）〜（ｅ）は、スクライブライン上におけるマザー基板Ｇの断面写真であり、それぞれ、荷重が６Ｎ、７Ｎ、８Ｎ、９Ｎの場合のものである。図５（ｂ）〜（ｅ）において、Ｄ１、Ｄ３はリブマーク量、Ｄ２、Ｄ４はクラックの浸透量を示している。
【００６１】
図７（ａ）を参照すると、荷重が５Ｎから６Ｎに変化すると、ガラス基板Ｇ１におけるクラックの浸透量が急激に増加することが分かる。また、荷重が６Ｎを超えると、ガラス基板Ｇ１のクラックの浸透量がガラス基板Ｇ１の厚み（０．２ｍｍ）の８０％を超え、ガラス基板Ｇ１に大きな浸透量でクラックが入る。上記のように、ガラス基板Ｇ１、Ｇ２のうち何れか一方に大きな浸透量でクラックが入ると、ブレイク工程において、マザー基板Ｇを適正に分断することができる。したがって、スクライブ方法２においては、スクライビングツール３０、４０に付与される荷重を６Ｎ以上に設定することが望ましいと言える。
【００６２】
なお、本実験では、上記実験１に比べて、ガラス基板Ｇ１に対するクラックの浸透量がさらに大きくなっている。したがって、クラックの浸透量を大きくしつつ安定的にクラックを形成するには、スクライブ方法２のように、マザー基板Ｇのスクライビングホイール３０１、４０１と反対側の面をローラ４０２、３０２で押さえるようにすることが望ましいと言える。
【００６３】
＜スクライビングツール＞
図８（ａ）、（ｂ）は、それぞれ、スクライビングツール３０、４０の構成を示す斜視図である。
【００６４】
スクライビングツール３０、４０は、スクライビングホイール３０１、４０１とローラ３０２、４０２の配列順序を除いて同様の構成を備えている。スクライビングツール３０、４０は、それぞれ、スクライビングホイール３０１、４０１とローラ３０２、４０２を保持するホルダ３０３、４０３を備える。ホルダ３０３、４０３は、スクライビングホイール３０１、４０１が装着される溝３０３ａ、４０３ａと、ローラ３０２、４０２が装着される溝３０３ｂ、４０３ｂと、傾斜面３０３ｃ、４０３ｃとを備える。スクライビングホイール３０１、４０１は、軸３０１ａ、４０１ａをホルダ３０３、４０３の孔に嵌め込むことにより装着される。ローラ３０２、４０２は、軸３０２ａ、４０２ａをホルダ３０３、４０３の孔に嵌め込むことにより装着される。
【００６５】
図９（ａ）、（ｂ）は、スクライブライン形成機構２２に対するスクライビングツール３０の取り付け方法を模式的に示す図である。図９（ａ）、（ｂ）では、スクライブライン形成機構２２の内部が透視された状態が示されている。
【００６６】
スクライブライン形成機構２２の下端には、スクライビングツール３０を保持する保持部２２１が設けられ、この保持部２２１に、スクライビングツール３０を挿入可能な穴２２２が形成されている。穴２２４の底には磁石２２４が設置され、穴２２４の中間位置にピン２２３が設けられている。スクライビングツール３０のホルダ３０３は強磁性体からなっている。
【００６７】
スクライブライン形成機構２２にスクライビングツール３０を取り付ける場合、スクライビングツール３０のホルダ３０３が保持部２２１の穴２２２に挿入される。ホルダ３０３の上端が磁石２２４に接近するとホルダ３０３が磁石２２４に吸着される。このとき、ホルダ３０３の傾斜面３０３ｃがピン２２３に当接し、ホルダ３０３が正規の位置に位置決めされる。こうして、図９（ｂ）に示すように、スクライビングツール３０がスクライブライン形成機構２２の下端に装着される。
【００６８】
スクライビングツール４０も同様にしてスクライブライン形成機構２２の下端に装着される。こうして、スクライビングツール３０、４０が、それぞれ、対応するスクライブヘッド２のスクライブライン形成機構２２に装着されると、図６（ａ）、（ｂ）に示すように、スクライビングホイール３０１に対応する位置にローラ４０２が位置付けられ、スクライビングホイール４０１に対応する位置にローラ３０２が位置付けられる。図８（ａ）、（ｂ）に示す構成のスクライビングツール３０、４０を用いれば、スクライビングツール３０、４０をそれぞれ、対応するスクライブヘッド２のスクライブライン形成機構２２に装着するだけで、スクライビングホイール３０１とスクライビングホイール４０１との距離Ｗ１を所定の距離に保ちつつ、スクライビングホイール３０１、４０１とローラ４０２、３０２とを互いに向き合わせることができる。
【００６９】
なお、上記実験２は、図８（ａ）、（ｂ）に示す構成のスクライビングツール３０、４０を用いて行った。また、上記実験１は、ホルダ３０３、４０３から溝３０３ｂ、４０３ｂが省略され、溝３０３ａ、４０３ａのみを有するホルダ３０３、４０３に、それぞれ、スクライビングホイール３０１、４０１が装着されたスクライビングツール３０、４０を用いて行った。
【００７０】
＜実施形態の効果＞
本実施の形態によれば、以下の効果が奏される。
【００７１】
実験１、２で示したとおり、シール材ＳＬの直上の位置に、深いクラックでスクライブラインＬ１を形成することができる。特に、スクライブ方法２のようにローラ３０２、４０２を設けることにより、クラックの浸透量をさらに大きくしつつ安定的にクラックを形成することができる。
【００７２】
＜変更例＞
以上、本発明の実施の形態について説明したが、本発明は上記実施の形態に何ら制限されるものではなく、また、本発明の実施の形態も上記以外に種々の変更が可能である。
【００７３】
たとえば、上記実施の形態では、刃先の稜線に一定間隔で溝が形成されたスクライビングホールが用いられたが、稜線に溝が形成されていないスクライビングホイールを用いても同様の効果が奏されることが想定され得る。スクライビングホイール（刃先）の大きさや形状は、上記実施の形態に記載されたものに限定されるものではなく、他の大きさや形状、種類の刃先を適宜用いることができる。
【００７４】
また、上記実施の形態では、マザー基板Ｇの上側のスクライビングホイール３０１を下側のスクライビングホイール４０１に対してスクライブ方向に先行させたが、マザー基板Ｇの下側のスクライビングホイール３０１を上側のスクライビングホイール４０１に対してスクライブ方向に先行させても良い。この場合も、上記と同様の効果が奏され得る。
【００７５】
また、図６（ａ）、（ｂ）および図８（ａ）、（ｂ）の構成では、距離Ｗ１が小さいため、２つのローラ３０２がスクライビングホイール３０１を挟むようにして、２つのローラ３０２とスクライビングホイール３０１が配置された。しかしながら、距離Ｗ１が大きい場合には、２つのローラ３０２がスクライビングホイール３０１を挟むことなく２つのローラ３０２とスクライビングホイール３０１が配置される。
【００７６】
図１０（ａ）、（ｂ）は、距離Ｗ１が大きい場合の他の構成例を模式的に示す図である。
【００７７】
この構成例では、Ｙ軸方向に幅広の一つのローラ３０４、４０４が用いられる。ローラ３０４、４０４は、軸３０４ａ、４０４ａの周りに回転可能となっている。ローラ３０４、４０４外周には、Ｙ軸方向の中央位置に、全周に亘って溝３０４ｂ、４０４ｂが形成されている。このように溝３０４ｂ、４０４ｂが形成されることにより、図６（ａ）、（ｂ）および図８（ａ）、（ｂ）の構成と同様、スクライビングホイール３０１、４０１で形成されるスクライブラインＬ１、Ｌ２をローラ３０４、４０４が踏むことが回避され得る。
【００７８】
図１０（ａ）、（ｂ）の構成では、距離Ｗ１が大きいため、図８（ａ）、（ｂ）の構成に比べて、スクライビングツール３０、４０のホルダ３０３、４０３の下部がＸ軸方向に幅広となる。しかしながら、図９（ｂ）に示すように、ホルダ３０３、４０３の下部は、スクライブライン形成機構２２の下端から露出しているため、ホルダ３０３、４０３の下部がＸ軸方向に幅広となっても、スクライブライン形成機構２２に対してスクライビングツール３０、４０を支障なく装着することができる。
【００７９】
なお、図１０（ａ）、（ｂ）の構成において、溝３０４ｂ、４０４ｂが深ければ、溝３０４ｂ、４０４ｂ内にスクライビングホイール３０１、４０１の外周部を入り込ませることが可能となる。この場合、図６（ａ）の場合と同様、Ｙ軸方向に見て、スクライビングホイール３０１、４０１の一部がローラ３０４、４０４と重なる。このように、溝３０４ｂ、４０４ｂを深くして、溝３０４ｂ、４０４ｂ内にスクライビングホイール３０１、４０１の外周部を入り込ませることにより、幅Ｗ１を狭くすることができる。
【００８０】
また、図６（ａ）、（ｂ）および図８（ａ）、（ｂ）の構成では、スクライビングホイール３０１、４０１の軸３０１ａ、４０１ａの中心位置が、それぞれ、ローラ３０２、４０２の軸３０２ａ、４０２ａの中心位置と、Ｚ軸方向において一致し、スクライビングホイール３０１、４０１の直径が、それぞれ、ローラ３０２、４０２の直径と同じとされた。しかしながら、スクライビングホイール３０１、４０１とローラ３０２、４０２の関係は、これに限定されるものではなく、他に種々の変更が可能である。
【００８１】
たとえば、図１１（ａ）に示すように、スクライブングホイール３０１の直径がローラ３０２の直径よりもΔｄ１だけ大きくても良く、あるいは、図１１（ｂ）に示すように、スクライブングホイール３０１の直径がローラ３０２の直径よりもΔｄ２だけ小さくても良い。また、図１１（ｃ）に示すように、スクライブングホイール３０１の軸３０１ａの中心位置がローラ３０２の軸３０２ａの中心位置よりもΔｄ３だけＺ軸負方向にずれていても良く、あるいは、図１１（ｄ）に示すように、スクライブングホイール３０１の軸３０１ａの中心位置がローラ３０２の軸３０２ａの中心位置よりもΔｄ４だけＺ軸正方向にずれていても良い。スクライビングホイール４０１とローラ４０２についても同様に変更され得る。
【００８２】
なお、図１１（ｂ）、（ｄ）の構成例では、ローラ３０２の下端がスクライブングホイール３０１の下端よりも下側にあるため、スクライブ動作時に、ローラ３０２ａがより強くガラス基板Ｇ１に押し付けられる。このようにローラ３０２ａが強く押し付けられると、ガラス基板Ｇ１がＺ軸負方向に撓み、これにより、ガラス基板Ｇ１の裏面にクラックを開く方向の引っ張り力が掛かる。このため、ローラ３０２が押しつけられたガラス基板Ｇ１の部分の裏面に他方のスクライビングホイール４０１の刃先が押しつけられると、この引っ張り力によってクラックが深く入り易くなる。よって、図１１（ｂ）、（ｄ）の構成例では、ローラ３０２ａに対応する裏側のスクライビングホイール４０１によって、より深くクラックが形成されるとの作用が想定され得る。
【００８３】
なお、図１０（ａ）、（ｂ）の構成例においても、上記と同様、スクライビングホイール３０１、４０１とローラ３０２、４０２の直径が調整され、あるいは、スクライビングホイール３０１、４０１の軸３０１ａ、４０１ａの中心位置とローラ３０２、４０２の軸３０２ａ、４０２ａの中心位置が調整されても良い。
【００８４】
また、図６（ａ）、（ｂ）および図８（ａ）、（ｂ）の構成では、スクライビングホイール３０１、４０１の両側に一対のローラ３０２、４０２が配されたが、スクライビングホイール３０１、４０１の片側のみに一つのローラ３０２、４０２が配される構成も想定され得る。
【００８５】
この他、マザー基板Ｇの構成、厚み、材質等は、上記実施の形態に示すものに限定されるものではなく、他の構成のマザー基板Ｇの切断にも、上記スクライブ方法１、２およびスクライブ装置を用いることができる。
【００８６】
本発明の実施の形態は、特許請求の範囲に示された技術的思想の範囲内において、適宜、種々の変更が可能である。
【符号の説明】
【００８７】
１  …  スクライブ装置
２  …  スクライブヘッド
３０、４０  …  スクライビングツール
３０１、４０１  …  スクライビングホイール
３０２、４０２  …  ローラ
Ｇ  …  マザー基板
Ｇ１、Ｇ２  …  ガラス基板
【図１】
2018087131.tif 000003
【図２】
2018087131.tif 000004
【図３】
2018087131.tif 000005
【図４】
2018087131.tif 000006
【図５】
2018087131.tif 000007
【図６】
2018087131.tif 000008
【図７】
2018087131.tif 000009
【図８】
2018087131.tif 000010
【図９】
2018087131.tif 000011
【図１０】
2018087131.tif 000012
【図１１】
2018087131.tif 000013